(57)【要約】  本発明は、ブロックインターリーバを使用するシステムの送信段において、ＴＤＭ方式により多数の放送サービスを１つのチャンネルに送信する際、受信段で復号すべきデータのビット数を最小化する効率のよい放送データ送受信方法及び装置に関する。本発明では、送信段で複数の放送サービスを外部符号を使用して符号化し、符号化したフレームをＴＤＭ方式により送出する場合、受信段で放送サービス別フレームをサブブロック単位でマスキングして希望する放送サービスのフレームのみを受信及び復号することを特徴とする。したがって、放送サービスを用いる受信段の構成を簡素化することは勿論、受信段の電力消耗を最小化することができる。このような本発明は、同期方式ＣＤＭＡシステムであるＣＤＭＡ２０００ １ｘ Ｒｅｖ． Ｄのみに限るのでなく、類似な形態のインタリーバが適用されたＴＤＭシステムに対しても適用することができる。
2007527184.tif 000002
【特許請求の範囲】
【請求項１】
複数の放送サービスのフレームを外部符号化する移動通信システムにおいて、放送サービス提供方法であって、
求められた放送サービスのフレームが格納される少なくとも１つのサブバッファーを指示する情報が含まれた放送パラメータメッセージを生成するステップと、
前記放送パラメータメッセージを送出するステップと
を含んでなることを特徴とする方法。
【請求項２】
前記少なくとも１つのサブバッファーを指示する情報は、サブブロック単位のマスク情報を含むことを特徴とする請求項１記載の方法。
【請求項３】
前記放送パラメータメッセージは、複数のサブブロックに対して予め定義されたスーパーフレーム周期のマスク情報を含むことを特徴とする請求項２記載の方法。
【請求項４】
前記少なくとも１つのサブバッファーは、受信段に備えられる互いに異なる４個のサブバッファー中から選択されることを特徴とする請求項１記載の方法。
【請求項５】
サブブロック単位とスロット単位の時分割多重伝送を選択的に用いる場合、前記スロット単位の時分割多重伝送で定義された他の放送パラメータメッセージの予約ビットを用いて、前記サブブロック単位の時分割多重伝送の遂行の可否を指示するステップを更に含むことを特徴とする請求項１記載の方法。
【請求項６】
スロット単位の時分割多重伝送を遂行する場合、前記求められた放送サービスのフレームを指示する時分割多重マスク情報を含む他の放送パラメータメッセージを送出するステップを更に含むことを特徴とする請求項１記載の方法。
【請求項７】
移動通信システムにおいて、複数の放送サービス別データフレームを有する放送データストリームを生成するステップと、
１つのサブバッファーが１つの放送サービスに対するデータフレームを受容するように複数のバッファーに放送データストリームを格納するステップと、
各バッファーに格納されたデータフレームを外部符号化するステップと、
前記外部符号化されたフレームを送信するステップと
を含んでなることを特徴とする方法。
【請求項８】
前記放送データストリームを生成するステップは、前記放送データストリーム内で連続したデータフレームが複数の放送サービス別に対応する順序を有するように前記放送データストリームを配列するステップを含むことを特徴とする請求項７記載の方法。
【請求項９】
前記格納するステップは、前記複数のバッファーにデータフレームが均等に循環されるように格納することを特徴とする請求項７記載の方法。
【請求項１０】
複数の放送サービスのフレームを外部符号化する移動通信システムにおいて、放送サービスを受信する方法であって、
求められた放送サービスのフレームが格納される少なくとも１つのサブバッファーを指示する情報が含まれた放送パラメータメッセージを受信するステップと、
前記情報に基づいて希望する放送サービスのフレームを選択的に受信するステップと
を含んでなることを特徴とする方法。
【請求項１１】
前記選択的に受信されたフレームを復号するステップを更に含むことを特徴とする請求項１０記載の方法。
【請求項１２】
前記放送パラメータメッセージに基づいて、前記サブバッファーに対応するサブブロックマスクをマッピングするステップを更に含むことを特徴とする請求項１０記載の方法。
【請求項１３】
前記少なくとも１つのサブバッファーを指示する情報は、サブブロック単位のマスク情報を含むことを特徴とする請求項１０記載の方法。
【請求項１４】
前記放送パラメータメッセージは、複数のサブブロックに対して予め定義されたスーパーフレーム周期のマスク情報を含むことを特徴とする請求項１０記載の方法。
【請求項１５】
前記希望する放送サービスのフレームを選択的に受信するステップは、
受信された放送フレームのサブブロックインデックスを計算するステップと、
前記サブブロックインデックスの位置に対応するサブバッファーマスクのマスク値を確認して、該当放送フレームの受信の可否を決定するステップと
を含むことを特徴とする請求項１０記載の方法。
【請求項１６】
前記サブブロックインデックス（sub_block_index）は、下記の[数１]により計算されることを特徴とする請求項１５記載の方法。
【数１】
2007527184.tif 000012
（前記の[数１]において、ｍｏｄはモジューロ演算を意味し、前記
【数２】
2007527184.tif 000013
演算はｉ／６４の値と同じ正数またはその値に近接した最大正数値を意味し、TDM_SUB_BLOCK_PERIODは予め定義された４個の時分割多重サブブロック長さが含まれた周期である）
【請求項１７】
複数の放送サービスのフレームを外部符号化する移動通信システムにおいて、放送サービスを提供する送信装置であって、
各放送サービスのフレームが格納される各サブバッファーを指示する情報が含まれた放送パラメータメッセージを生成するメッセージ生成器と、
前記放送パラメータメッセージを送出する無線部と
を含んでなることを特徴とする装置。
【請求項１８】
前記各サブバッファーを指示する情報は、サブブロック単位のマスク情報を含むことを特徴とする請求項１７記載の装置。
【請求項１９】
前記放送パラメータメッセージは、複数のサブブロックに対して予め定義されたスーパーフレーム周期のマスク情報を含むことを特徴とする請求項１８記載の装置。
【請求項２０】
複数の放送サービスのフレームを外部符号化する移動通信システムにおいて、放送サービスを提供する送信装置であって、
放送データを求められた放送サービスのフレームが格納される少なくとも１つのサブバッファーに割り当て、前記放送データをサブブロック単位で逆多重化する制御器と、
サブバッファー毎に放送サービス別フレームを外部符号化する外部符号器と、
複数の放送サービスに対して前記外部符号化されたフレームを送信する無線部と
を含んでなることを特徴とする装置。
【請求項２１】
サブブロック単位とスロット単位の時分割多重伝送を選択的に用いる場合、前記メッセージ生成部は、前記スロット単位の時分割多重伝送で定義された他の放送パラメータメッセージの予約ビットに前記サブブロック単位の時分割多重伝送の遂行の可否を指示する識別子を挿入するように構成されることを特徴とする請求項２０記載の放送サービスを提供する送信装置。
【請求項２２】
複数の放送サービスのフレームを外部符号化する移動通信システムにおいて、放送サービスを受信する受信装置であって、
送信段から希望する放送サービスのフレームが格納される少なくとも１つのサブバッファーを指示する情報が含まれた放送パラメータメッセージを受信し、複数の放送サービスの中で、前記希望する放送サービスのフレームを選択的に受信する無線部と、
前記指示されたサブバッファーに格納される放送サービスの選択的に受信されたフレームを復号する復号器と、
前記情報に基づいて、複数の放送サービスのうち、希望する放送サービスのフレームを選択的に受信するように前記無線部を制御する制御器と
を含んでなることを特徴とする装置。
【請求項２３】
前記少なくとも１つのサブバッファーを指示する情報は、前記サブブロック単位のマスク情報を含むことを特徴とする請求項２２記載の装置。
【請求項２４】
前記放送パラメータメッセージは、複数のサブブロックに対して予め定義されたスーパーフレーム周期のマスク情報を含むことを特徴とする請求項２３記載の装置。
【請求項２５】
前記制御器は、受信された放送フレームのサブブロックインデックスを計算し、前記サブブロックインデックスの位置に対応するサブバッファーマスクのマスク値を確認して、該当放送フレームの受信の可否を決めることを特徴とする請求項２２記載の装置。
【請求項２６】
前記制御器は、下記の[数３]を用いて前記サブバッファーインデックス（sub_buffer_index）を計算するように構成されることを特徴とする請求項２２記載の装置。
【数３】
2007527184.tif 000014
（前記の[数３]において、ｍｏｄはモジューロ演算を意味し、前記
【数４】
2007527184.tif 000015
演算はｉ／６４の値と同じ正数またはその値に近接した最大正数値を意味し、TDM_SUB_BLOCK_ PERIODは予め定義された４個の時分割多重サブブロック長さが含まれた周期である）
【発明の詳細な説明】
【技術分野】
【０００１】
本発明は、移動通信システムにおいて、放送データ伝送方法及びその装置に関し、特に、符号分割多重接続（Code Division Mulitle Access：ＣＤＭＡ）方式の移動通信システムで、リード−ソロモン（Reed-Solomon）符号を使用して伝送される放送データを效率よく受信するための移動通信システムにおいて、リード−ソロモン符号を使用する放送データ送受信方法及びその装置に関する。
【背景技術】
【０００２】
一般に、移動通信システムは、音声サービスを提供する形態からデータ通信が提供できる形態に発展した。このような移動通信システムは、各種データサービスと共に、放送サービスが提供できる形態に発展している。このような放送サービスを提供する形態は、ＣＤＭＡ方式を使用する３ＧＰＰ２陣営で各々多様な標準化作業を通じてなされている。３ＧＰＰ２陣営で放送サービスを提供するために提案された標準化作業のうち、ＣＤＭＡ２０００ １ｘ Ｒｅｖ． Ｄ規約では、放送サービスをＢＣＭＣＳ（Broadcast Multicast Service）と称している。前記ＣＤＭＡ２０００ １ｘ Ｒｅｖ． Ｄの標準案の他にも、３ＧＰＰ２陣営では放送サービスを提供するために、他の標準規約でも放送サービスを提供するために標準案が制定されている。
【０００３】
以下、ＣＤＭＡ２０００ １ｘ Ｒｅｖ． Ｄ規約で定義されて使われる放送サービスに対して説明するようにし、以下の説明において、ＣＤＭＡ２０００ １ｘ Ｒｅｖ． Ｄ規約のＢＣＭＣＳサービスを“放送サービス”と称して説明することにする。
前記放送サービスでは、ブロックインターリービング（Block Interleaving）されたフレーム（frame）単位の放送データを時分割多重化（Time Domain Muliplex：ＴＤＭ）方式により１つのチャンネルを通じて伝送するように構成している。このような放送サービスは、コンボルーション符号などの内部符号と別途に、外部符号としてよく知らされたエラー訂正符号であるリード−ソロモン符号を使用することができる。放送データを伝送することにおいて、前記ＴＤＭ方式を使用することになれば、外部符号を適用しない場合には受信段で最小のフレームのみを選別し受信して、受信効率が改善できる利点があるが、引続き発生する（burst）伝送誤りを防止するために、前記リード−ソロモン符号を使用し、これは現在、ＣＤＭＡ２０００ １ｘ Ｒｅｖ． Ｄに標準に提案されている。
【０００４】
以下、現在放送サービスに提案された放送データ伝送方式を具体的に説明する。
図１は、ＣＤＭＡ２０００ １ｘ Ｒｅｖ． Ｄ規格で提案された方式により時分割多重方式により放送サービスが提供される過程を説明するためのタイミング図である。
前記図１において、Ａ、Ｂ、Ｃ、Ｄは、各々サービスされる放送の種類を区分したものである。基地局は放送サービスを提供するために、前記図１に示すように提供される放送サービスを時分割多重化して端末に伝送する。このように時分割多重化して伝送される放送サービスは、時分割多重周期（TDM_PERIOD）１００を有する。また、１つの時分割多重周期１００には複数の時分割多重スロットが割り当てられる。そして、複数の時分割多重周期が集まって１つの時分割スーパー周期を構成する。
【０００５】
前記時分割多重周期と時分割スーパー周期をサービスが提供される観点から説明することにする。使用者端末は、特定の放送サービスを提供受けようとする場合に、所定のチャンネルを通じて時分割多重化して伝送される放送サービスの種類を確認することができる。このように、放送サービスの種類を確認し、使用者が特定放送サービスを視聴／聴取しようとすれば、端末は使用者により選択された放送サービスを要請するメッセージを生成して基地局に報告する。そうすると、基地局は、前記図１に示すように、時分割多重化して伝送する放送サービスを受信することができる情報を生成して端末に伝送する。このように時分割多重化して提供される放送サービスデータを受信するための情報は、下記の[表１]のように伝送され、下記の[表１]により伝送される情報をまた説明するために、[表２]乃至[表３]を下記に図示した。
【０００６】
まず、下記の[表１]は、ＣＤＭＡ２０００ １ｘ Ｒｅｖ． Ｄ標準でＢＣＭＣＳサービスが時分割多重化して伝送される場合のメッセージフォーマットを表したものである。
【表１】
2007527184.tif 000003
【０００７】
前記の[表１]において、TDM_USED_INDフィールドは、１ビットで構成され、提供される放送サービスが時分割多重化して伝送されるか否かを知らせる。したがって、放送サービスデータが時分割多重化して伝送される場合に、その以下の値が付加される。したがって、前記の[表１]の下記に図示した他のフィールドのビットが０の場合には、時分割多重化が使われない場合を意味する。また、前記の[表１]において、TDM_SLOT_LENGTHフィールドは、時分割多重化が使われる場合に２ビットの値を有し、前記図１に示すように、１つの時分割多重周期（TDM_PERIOD）フィールド１００内に含まれるスロットの時間の長さを意味する。そして、前記の[表１]のTDM_PERIODフィールドは、時分割多重周期内に含まれるスロットの個数を指示するようにし、時分割多重化が使われる場合に２ビットの値を有する。また、時分割多重マスク（TDM_MASK）フィールドは、４ビット、８ビットまたは１６ビットの値を有し、時分割多重化周期（TDM_PERIOD）１００内に使用者が要求した放送サービスがどのスロットに含まれているかを指示する。前記図１では、時分割多重マスク値が４ビットに設定された例を参照符号１２０と図示している。最後に、前記の[表１]において、時分割多重スーパー周期マスク（TDM_SUPER_PERIOD_MASK）フィールドはスーパーフレーム周期を使用するか使用しないかによって、０ビットまたは４ビットの値を有する。前記スーパーフレーム周期を使用する場合、スーパーフレーム周期マスク値は４ビットの値に設定され、これは図１に参照符号１３０のように図示することができる。
【０００８】
下記の[表２]は、前記の[表１]のような情報が伝送される場合、時分割多重スロット長さ（TDM_SLOT_LENGTH）のパラメータ値と、時分割多重周期（TDM_PERIOD）のパラメータ値のマッチング関係を図示したものである。
【表２】
2007527184.tif 000004
【０００９】
前記時分割多重スロット長さ（TDM_SLOT_LENGTH）フィールドにおいて、Reservedは使われないことを意味する。下記の[表３]は、時分割多重周期（ＴＤＭ Period）に応じる時分割多重スロットの長さ（Slot Length）をマッチングして図示したものである。
【表３】
2007527184.tif 000005
【００１０】
前記の[表３]は、時分割多重周期内に含まれるスロットの個数とスロット長さによって各時分割多重周期内で伝送されるフレームの個数をマッチングして図示した。前記[表３]から分かるように、時分割多重周期１００のスロットの数と２０、４０、８０ｍｓのスロットの長さによって伝送されるフレームの数は最小１６個のフレームから最大２５６個のフレームまで伝送可能である。
【００１１】
使用者端末は、前記[表１]のような情報を受信すれば、該当するフレームのデータを受信することができる。これを図１を参照して更に説明する。もし、特定の使用者がＡ放送サービスを受信しようとする場合、前記[表１]の時分割多重マスク（TDM_MASK）値は参照符号１２１の値が伝送される。Ａ放送を聴取しようとする端末に伝送される時分割多重マスク値は“１０１０”の値が伝送される。これとＢ放送を聴取しようとする端末に伝送される時分割多重マスク値は“０１００”の値である参照符号１２２の値が伝送されるはずであり、Ｃ放送を聴取しようとする端末に伝送される時分割多重マスク値は“０００１”の値である参照符号１２３の値が伝送されるはずであり、Ｄ放送を聴取しようとする端末に伝送される時分割多重マスク値は“１０１０”の値である参照符号１２４の値が伝送されるはずである。
【００１２】
そうすると、前記Ａ放送とＤ放送に対する時分割多重マスクは、Ａ放送サービスとＤ放送サービスが同一な受信位置に交差して伝送されることを表す。これは、時分割多重スーパー周期マスク値により区分される。即ち、前記図１の参照符号１３０に示すように、放送サービスＡ、Ｂ、Ｃ、Ｄに対して時分割多重スーパー周期マスク（TDM_SUPER_PERIOD_ MASK）値が設定され、参照符号１３１、１３２、１３３、１３４のように、どの時分割多重周期で該当する放送サービスが伝送されるかを指示している。
【００１３】
一方、ＣＤＭＡ２０００ １ｘ Ｒｅｖ． Ｄ規格では放送サービスのためにリード−ソロモン方式の外部符号を使用するようにしている。このようなリード−ソロモン方式の外部符号は放送サービス（ＢＣＭＣＳ）物理階層規格に提示されたように、６４フレームを周期とし、また６４フレームは４個のサブバッファー（SUB_BUFFER）を通じて符号化して伝送される。そうすると、これを図２を参照して、リード−ソロモン方式に基づいた外部符号を使用する放送サービス方式に対して説明する。
【００１４】
図２は、ＣＤＭＡ２０００ １ｘ Ｒｅｖ． Ｄ規格で提案された方式による放送サービスデータに外部符号としてリード−ソロモン符号化を遂行する場合を説明するための図である。
前記図２では、標準規格に提示されたように、４個のサブバッファー（sub-buffer0、sub-buffer1、sub-buffer2、sub-buffer3）２１０、２２０、２３０及び２４０を図示した。前記放送サービスの物理階層規格に提示されたように、６４フレームを周期とする ので、前記４個のサブバッファー２１０、２２０、２３０及び２４０は、総６４個のフレームを格納することができる構造を有する。したがって、各サブバッファー２１０、２２０、２３０及び２４０は、１６個ずつのフレームが格納できるように構成される。しかしながら、実際に、前記各サブバッファー２１０、２２０、２３０及び２４０に格納されるフレームの数字は予め決定されたｋ（１６より小さな正数）個のフレームが格納される。このように、実際に１６個のフレームでないｋ個のフレームが格納される理由は、リード−ソロモン符号化を遂行するためのものである。したがって、前記図２の各サブバッファー２１０、２２０、２３０及び２４０には、最初ｋ個のフレームが格納され、残りの領域は空（empty）状態である。前記フレームが格納されていない領域には、リード−ソロモン符号化を遂行した符号化フレームであるパリティ（Parity）フレームが格納される。これを通じて、各サブバッファー２１０、２２０、２３０及び２４０に１６個ずつのフレームが詰められる。
【００１５】
このような過程を前記図２ではリード−ソロモン符号化（RS Encoding）過程と図示した。即ち、前記図２の参照符号２１１、２２１、２３１及び２４１は、リード−ソロモン符号化がなされた以後のバッファー状態を図示したものである。このように、リード−ソロモン符号化がなされたフレームを含んだ各サブバッファー２１１、２２１、２３１及び２４１から順次に出力を遂行する。したがって、第１サブバッファー２１１から出力される第１フレームが伝送された以後に、第２サブバッファー２２１から第１フレームが伝送され、第３サブバッファー２３１の第１フレームが伝送される。最後に、第４サブバッファー２４１の第１フレームが伝送された以後に、また第１サブバッファー２１１の第２フレームが伝送される。
【００１６】
説明の便宜上、図２の右側には、以上で前述した方法により、各サブバッファー２１１、２２１、２３１及び２４１に格納されたフレームの伝送順序を図示した。即ち、第１サブバッファー２１１に格納されたフレームに伝送順序を与えたものが参照符号２１２であり、第２サブバッファー２２１に伝送順序を与えたものが参照符号２２２であり、第３サブバッファー２３１に伝送順序を与えたものが参照符号２３２であり、第４サブバッファー２４１に伝送順序を与えたものが参照符号２４２である。これを第１サブバッファー２１１に対して説明すれば、第１フレームが最初に伝送され、第２フレームは５番目の順序に伝送され、第３フレームは９番目の順序に伝送される。他のサブバッファー２２１、２３１及び２４１に格納されたフレームでもこれと同一な方法により伝送がなされる。
【００１７】
以上、説明したように、伝送されるフレームを、また図３を参照して時分割多重スーパー周期と時分割多重周期で伝送される例を説明することにする。
図３は、６個の放送サービスデータが時分割多重化及びリード−ソロモン方式により伝送される場合の放送サービスデータ伝送タイミング図である。前記図３を参照すれば、時分割多重スーパー周期３００は、４個の時分割多重周期３１０、３２０、３３０及び３４０を含む。また、各時分割多重周期３１０、３２０、３３０及び３４０には互いに異なる各放送サービスであるＡ、Ｂ、Ｃ、Ｄ、Ｅ及びＦの放送サービスフレームが伝送される。
【００１８】
前記図３に示すように、伝送されたフレームは受信側である端末で受信する時には該当サブブロックに該当する各サブバッファー別にデータを受信すべきであり、自身の放送サービスは勿論、該当サブバッファーに受信される他の放送サービスのフレームまで全て受信しなければ復号が可能でない。このように、自身の放送サービスは勿論、他の放送サービスまで同一なサブバッファーに受信される理由は、前述した図２に示すように、外部符号としてリード−ソロモン方式を使用するためである。
【００１９】
これを図４を参照して説明することにする。図４は、前記図２のような方法により放送サービスを提供する場合、各サブバッファーに伝送しようとするデータが格納された形態を示す図である。
前記図４を参照して説明すれば、第１乃至第４サブバッファー４１０、４２０、４３０及び４４０に各々伝送されるフレームデータが格納される。前記図４は、前述した図３のような方法によりデータが伝送される場合である。即ち、第１サブバッファー４１０に格納されたフレームを見れば、Ａ、Ｅ及びＦの３つの放送サービスに対するフレームが格納され、第２サブバッファー４２０にはＡ、Ｂ及びＦの３つの放送サービスに対するフレームが格納され、第３サブバッファー４３０にはＣ及びＦの２つの放送サービスに対するフレームが格納され、第４サブバッファー４４０にはＤ及びＦの２つの放送サービスに対するフレームが格納される。また、各サブバッファー４１０、４２０、４３０及び４４０の最後の幾つのフレームは、リード−ソロモン方式の符号化に対するパリティフレームが格納される。
【００２０】
したがって、特定の放送サービスを受信しようとする端末は、前記したように、伝送される複数の放送サービスフレームにより実際の時分割多重化の利点を享受することができなくなる。なぜなら、自身が受信しようとする放送サービスが伝送されるサブブロックに該当するサブバッファーの全てのデータを受信しないならば、リード−ソロモン方式の復号化が遂行できないためである。
したがって、前記したように、外部符号が適用された放送サービスでは特定のサービスを受信するために他の放送サービスを受信しなければならない問題が発生する。
【発明の開示】
【発明が解決しようとする課題】
【００２１】
本発明の目的は、外部符号と時分割多重送信方式により提供される放送サービスから希望する放送データのみを選別的に受信して復号されるデータビットが最小化できるようになった移動通信システムにおいて、放送データ送受信方法及びその装置を提供することにある。
【００２２】
本発明の他の目的は、外部符号と時分割多重送信方式により提供される放送サービスで、復号されるデータビットを最小化して受信段を簡単に構成し、受信段の電力消耗が低減できるようになった移動通信システムにおいて、放送データ送受信方法及びその装置を提供することにある。
【課題を解決するための手段】
【００２３】
前記の目的を達成するための本発明の方法は、複数の放送サービスのフレームを外部符号化する移動通信システムにおいて、放送サービス提供方法であって、求められた放送サービスのフレームが格納される少なくとも１つのサブバッファーを指示する情報が含まれた放送パラメータメッセージを生成するステップと、前記放送パラメータメッセージを送出するステップとを含んでなることを特徴とする。
【００２４】
また、前記目的を達成するための本発明の方法は、移動通信システムにおいて、複数の放送サービス別データフレームを有する放送データストリームを生成するステップと、１つのサブバッファーが１つの放送サービスに対するデータフレームを受容するように複数のバッファーに放送データストリームを格納するステップと、各バッファーに格納されたデータフレームを外部符号化するステップと、前記外部符号化されたフレームを送信するステップとを含んでなることを特徴とする。
【００２５】
また、前記目的を達成するための本発明の方法は、複数の放送サービスのフレームを外部符号化する移動通信システムにおいて、放送サービスを受信する方法であって、求められた放送サービスのフレームが格納される少なくとも１つのサブバッファーを指示する情報が含まれた放送パラメータメッセージを受信するステップと、前記情報に基づいて希望する放送サービスのフレームを選択的に受信するステップとを含んでなることを特徴とする。
【００２６】
また、前記目的を達成するための本発明の装置は、複数の放送サービスのフレームを外部符号化する移動通信システムにおいて、放送サービスを提供する送信装置であって、各放送サービスのフレームが格納される各サブバッファーを指示する情報が含まれた放送パラメータメッセージを生成するメッセージ生成器と、前記放送パラメータメッセージを送出する無線部とを含んでなることを特徴とする。
【００２７】
また、前記目的を達成するための本発明の装置は、複数の放送サービスのフレームを外部符号化する移動通信システムにおいて、放送サービスを提供する送信装置であって、放送データを求められた放送サービスのフレームが格納される少なくとも１つのサブバッファーに割り当て、前記放送データをサブブロック単位で逆多重化する制御器と、サブバッファー毎に放送サービス別フレームを外部符号化する外部符号器と、複数の放送サービスに対して前記外部符号化されたフレームを送信する無線部とを含んでなることを特徴とする。
【００２８】
また、前記目的を達成するための本発明の装置は、複数の放送サービスのフレームを外部符号化する移動通信システムにおいて、放送サービスを受信する受信装置であって、送信段から希望する放送サービスのフレームが格納される少なくとも１つのサブバッファーを指示する情報が含まれた放送パラメータメッセージを受信し、複数の放送サービスの中で、前記希望する放送サービスのフレームを選択的に受信する無線部と、前記指示されたサブバッファーに格納される放送サービスの選択的に受信されたフレームを復号する復号器と、前記情報に基づいて、複数の放送サービスのうち、希望する放送サービスのフレームを選択的に受信するように前記無線部を制御する制御器とを含んでなることを特徴とする。
【産業上の利用可能性】
【００２９】
以上、説明したように、本発明によれば、複数の放送サービスを提供するシステムにおいて、端末が希望する放送サービスのフレームのみを選別的に受信及び復号して、復号されるデータビットを最小化することができる。また、本発明は、時分割多重伝送方式が適用されたｃｄｍａ２０００ １ｘＲｅｖ．Ｄに適用されて、受信段で希望する放送サービスのフレームのみを選別的に受信及び復号するので、不要な電力消耗を防止すると共に、既存の方式に比べて、より単純な受信段の具現が可能であり、これのための放送パラメータメッセージを生成して提供する送信段の具現が可能である。
【発明を実施するための最良の形態】
【００３０】
以下、添付された図面を参照しつつ本発明の実施形態を説明する。以下、本発明を説明することにおいて、関連した公知機能、あるいは構成に対する具体的な説明が本発明の要旨を曖昧にすることができると判断される場合、その詳細な説明は適宜省略する。
【００３１】
まず、本発明では受信段の各サブバッファーに、図５のように、同一な放送サービスのフレームのみを格納することになり、図５は受信段に備えられた４個のサブバッファーを仮定したものである。図５において、Ａ、Ｂ、Ｃ及びＤは、それぞれ異なる放送サービスを表すが、これらが必ず互いに異なる放送サービスでなければならないことを表すのではない。例えば、ＡとＢが１つの放送サービスを構成するフレームでありうる。したがって、図５は分離できる最大サービスの種類を示すものである。
【００３２】
図５のような方式により放送サービス別フレームを格納する場合、受信段で受容することができる最大サービス個数を図６Ａ乃至図６Ｆを参照して説明する。即ち、図６ａ乃至図６ｆは、各時分割多重伝送方式によって、可能な放送サービスの類型を図式的に示したものであって、図６ａ乃至図６ｆの各類型別に提供する限り、最大サービスの個数は下記の[表４]の通りである。
【００３３】
【表４】
2007527184.tif 000006
【００３４】
前記の[表４]において、ローマ数字（１）、（２）及び（３）は１つの時分割多重周期（ＴＤＭ Period）内に含まれたスロットの長さ（Slot Length）が総２０ｍｓであり、スロットの個数が各々４個、８個、１６個の場合であって、この場合、受信段で受容可能な最大サービス個数は、図６Ａのように、４個（Ａ、Ｂ、Ｃ、Ｄ）であることが分かる。そして、前記の[表４]において、ローマ数字（４）及び（５）は１つの時分割多重周期内に含まれたスロットの長さが総４０ｍｓであり、スロットの個数が各々４個及び８個の場合であって、この場合、受信段で受容可能な最大サービス個数は、図６Ｂのように、２個（Ａ、Ｂ）であることが分かる。
【００３５】
また、前記の[表４]において、ローマ数字（６）は１つの時分割多重周期内に含まれたスロットの長さが４０ｍｓであり、スロットの個数が１６個の場合であって、この場合、受信段で受容可能な最大サービス個数は４個（Ａ、Ｂ、Ｃ、Ｄ）であることが分かる。前記のような方式により前記の[表４]を整理すれば、受信段でローマ数字（７）の類型は１個のサービス提供が可能であり、ローマ数字（４）、（５）及び（８）方式は２個までのサービス提供が可能であり、ローマ数字（１）、（２）、（３）、（６）及び（９）方式は４個までのサービス提供が可能であることが分かる。
【００３６】
したがって、図６Ａ〜Ｆ及び前記の[表４]から下記のような結果が得られる。
１．ローマ数字（１）、（２）及び（３）は全て同一な時分割多重方式を表し、この場合、ローマ数字（１）の類型が最も少ないメッセージビット数を要求するので、これらはローマ数字（１）の時分割多重方式が効率的である。ここで、メッセージとは、受信段である端末で放送サービスが利用できるように基地局から端末に提供される前記の[表４]のようなパラメータ情報が含まれたメッセージ（以下、“放送パラメータメッセージ”と称する）を意味する。
２．ローマ数字（４）及び（５）は、ローマ数字（１）により表現されることができるので、これらはローマ数字（１）に代表される。
３．ローマ数字（６）は他の方式とは独立的な時分割多重方式である。
４．ローマ数字（７）は１つのサービスのみを提供するので無意味である。
５．ローマ数字（８）は（６）により表現可能であるのでローマ数字（６）に代表される。
６．ローマ数字（９）は他の方式とは独立的な時分割多重方式である。
【００３７】
したがって、前述した[表１]と[表２]による既存の放送パラメータメッセージの体系下で効率のよい時分割多重伝送方式は、ローマ数字（１）、（６）及び（９）だけで全て表現されることが分かる。また、各サービスが等しく混ざっている際、最も短い初期伝送遅延時間を見せるという特性を考慮するならば、結論的にローマ数字（１）方式が最も優れ、ローマ数字（１）の類型が残りの８つの方式を代表することができる。しかしながら、前記ローマ数字（１）の類型が支援する最大サービスの数は４個に制約されていて、効率のよい時分割多重伝送方式を考慮しなかった時の６４個に遥かに及ばない数値である。
【００３８】
したがって、本発明では、前記図５のようなフレーム受信方式を維持し、かつ、リード−ソロモン符号を使用して伝送される放送データを效率よく受信することは勿論、今後、大幅増加することと予想される放送チャンネルの個数が受容できるように、前記放送パラメータメッセージを変更した放送データ伝送方法及びその装置を提案する。このために、本発明では放送サービス別フレームを称する前述した[表１]の時分割多重マスク（TDM_MASK）を受信段に備えられた各サブバッファーを称するようにサブバッファーに対応するサブブロック単位のマスクに変更した後、それぞれのサブバッファーでは１つの放送サービスフレームのみを格納し、他の放送サービスのフレームは受信しないようにして、放送チャンネルの数を確保しながら従来のように受信段から発生する不要な復号過程を排除することになる。
【００３９】
下記の[表５]は、本発明で提案する前記放送パラメータメッセージのフィールド構成を示す情報構成図である。前記放送パラメータメッセージは、下記のような原則に従う。
１．外部符号が使われない場合に、より柔軟な時分割多重方式を支援するために、外部符号が適用された場合と外部符号が適用されない場合の信号体系は異ならなければならない。
２．外部符号が適用された場合、各サブバッファー内に１つのサービスが存在しなければならない。このために、メッセージはフレーム単位、即ち、スロット単位のマスクでないサブブロック単位のマスクにならなければならない。
【００４０】
【表５】
2007527184.tif 000007
【００４１】
そして、前記の[表５]において、割当ビット（Number of Bits）は前述した[表１]と同一であるので、既存のメッセージとの互換性を維持し、[表１]と比較して全てのメッセージフィールドが受信段のサブブロック単位に変更され、基本内容は同一に維持される。
実際に、放送サービスを提供受ける受信段では、外部符号の適用の可否により、２つフィールドのうち、１つで解析する。
【００４２】
図７は、本発明によりサブブロックを基準にして、時分割多重方式の放送サービスが提供されることを説明するためのタイミング図であって、これは、前記したサブブロック単位の放送フレーム送受信方式を除いては、図１の既存のＣＤＭＡ２０００ １ｘ Ｒｅｖ． Ｄ規格と同一な規格に従う。
【００４３】
前記図７と[表５]において、時分割多重サブブロック長さ（TDM_SUB_BLOCK_LENGTH）７１０は、時分割多重化が使われる場合に２ビットの値を有し、図７のように、１つの時分割多重サブブロック周期（TDM_SUB_BLOCK_PERIOD）７００内に含まれるサブブロックの時間の長さを意味する。そして、前記の[表５]の時分割多重サブブロック周期（TDM_SUB_BLOCK_PERIOD）７００は、時分割多重化が使われる場合に２ビットの値を有する。また、時分割多重サブブロックマスク（TDM_SUB_BLOCK_MASK）７２０は、４ビット、８ビットまたは１６ビットの値を有し、時分割多重化区間内に使用者が要求した放送サービスがどのサブバッファー７１１、７１２、７１３及び７１４に格納（受信）されるべきであるかを指示する。
【００４４】
そして、スーパーフレームを使用するか使用しないかによって、スーパーフレーム周期マスク（TDM_SUB_BLOCK_SUPER_PERIOD_MASK）は、０ビットまたは４ビットの値を有する。前記図７では、時分割多重サブブロックマスクが４ビットに設定される場合を参照符号７２０と図示している。最後に、TDM_SUB_BLOCK_SUPER_PERIOD_MASKは、スーパーフレームを使用するか使用しないかによって、０ビットまたは４ビットの値を有する。スーパーフレーム周期を使用する場合、スーパーフレーム周期マスク値は４ビットの値に設定され、図７に参照符号７３０のように図示することができる。
【００４５】
前記したように、図７は、サブバッファー７１１、７１２、７１３及び７１４、即ち、サブブロック単位のＴＤＭを見せる。即ち、受信段では前記の[表５]の放送パラメータメッセージを受けて、受信フレームがどのサブブロックに属するかを計算した後、該当サブブロックに属したフレームのみを受信することになる。この際、ｉ番目の受信フレームが属したサブバッファーインデックス（sub_buffer_index）は、次の[数１]のように定義される。
【数１】
2007527184.tif 000008
【００４６】
前記の[数１]において、ｍｏｄはモジューロ演算を意味し、
【数２】
2007527184.tif 000009
演算はｉ／６４の値と同じ正数または正数値でない場合、その値が近接した最大正数値を意味する。したがって、前記の[数１]によれば、サブバッファーを１つのビットで一対一マッピングしたサブブロックマスクを配列で表した際、ｉ番目の送信フレームの受信の可否はサブブロックマスク配列のsub_block_index番目の値が１の場合に受信し、０の場合に受信しないことによって、ＴＤＭ受信が可能である。
【００４７】
但し、ｉとsub_block_indexは、全てその値が０から始める。また、前記ｉ値と関連して[数１]において、ＣＤＭＡ２０００システム時間が０の位置で好ましく20*FSCH_OUTER_ CODE_OFFSETs[i]ｍｓ以後の時間でのｉ値が０に設定される。一方、図７の場合、Ａサービスのサブブロックマスク配列は、例えば、{１、０、１、０、０、０、０、０、１、０、１、０、１、０、１、０}の通りである。したがって、４５６番目の受信フレームのサブブロックインデックスは、[数１]によりその値は１２となり、これに該当するサブブロックマスク値は１であるので（即ち、{１、０、１、０、０、０、０、０、１、０、１、０、“１”、０、１、０}）、受信しなければならないフレームである。このように受信した１つのサブブロックは、１つのサブバッファー単位を構成することになる。
【００４８】
もし、このようなサブブロック単位のＴＤＭを適用したかを表面的に知らせなければならない場合、前記の[表２]の予約されたビット（Reserved bit）を使用して下記の[表６]、[表７]のように放送パラメータメッセージが構成されることができる。
【表６】
2007527184.tif 000010
【００４９】
【表７】
2007527184.tif 000011
【００５０】
前記の[表６]と[表７]により既存の方式と完全に互換されながらサブブロック単位のＴＤＭ方式が支援可能である。但し、前記の[表５]と比較して、前記TDM_SUB_BLOCK_ LENGTHフィールドがないので、これは常にその単位がサブバッファー単位であることを意味する。しかしながら、この方式により支援される最大サービスの個数は１６*４=６４個であって、既存の方式と同一であることが分かる。その他、現在、割り当てられたTDM_ SUB_BLOCK_MASK及びTDM_SUB_BLOCK_PERIODのビット数を拡張して全体周期を長くする方法があるが、これは前記方法に比べて多少非効率的でありえる。
【００５１】
以下、前記した本発明の方法が適用される送信装置、即ち、基地局の送信段の構成を説明する。
図１０は、本発明に係るリード−ソロモン符号を使用する放送データ送信装置の構成を示すブロック構成図である。一方、本実施形態は、放送パラメータメッセージを、例えば、送信段である基地局を通じて生成するように構成したが、これを放送サーバーなど、別途の装置を通じて生成することも可能である。
【００５２】
図１０の送信装置は、端末に対する放送サービス提供がある場合、図示していない端末に前記放送パラメータメッセージを生成して伝送し、放送サービス別放送データを図７のようなタイミング方式により無線網に送出することになる。
まず、放送データの伝送のために、図１０のメッセージ生成器１０６０は、時分割多重伝送のために図７に示すようなスーパーフレーム周期マスク（TDM_SUB_BLOCK_SUPER_ PERIOD_MASK）と時分割多重サブブロック長さ（TDM_SUB_BLOCK_LENGTH）情報ビットが含まれ、時分割多重化区間内に使用者が要求した放送サービスのフレームがどのサブバッファーに格納されるかを指示する時分割多重サブブロックマスク（TDM_SUB_ BLOCK_MASK）が含まれた前記の[表５]のような放送パラメータメッセージを生成して変調器１０４０に出力し、変調器１０４０はその出力信号を変調し、無線部１０５０は変調されたメッセージをアンテナ（ＡＮＴ）を介して無線網に送出することになる。前記放送パラメータメッセージを受信した端末の動作は後述する。また、他の実施形態で、前記放送パラメータメッセージは、前記の[表６]、[表７]のような形態で生成されることができる。
【００５３】
一方、前記のような放送パラメータの送出が完了した後、制御器１０７０は入力された放送データストリームが放送サービス別フレームが格納される少なくとも１つのサブバッファーに割当（指定）されるように逆多重化器１０１０を制御し、前記逆多重化器１０１０は制御器１０７０の制御によって前記放送データストリームをサブバッファーに対応するサブブロック単位で逆多重化（demultiplexing）して出力する。前記放送データストリームを構成する連続したフレームは、放送サービス別に定まった時間区間毎に時分割して伝送するように定まった順序に従って配列される。
【００５４】
外部符号器１０２０は、逆多重化器１０１０から入力された放送データに対してリード−ソロモン符号化を遂行した後、チャンネル符号器１０３０に出力する。また、外部符号器１０２０とチャンネル符号器１０３０との間には外部符号化された放送データに対して誤りチェックのためのＣＲＣ情報を挿入するＣＲＣ挿入器（図示していない）が介されることができる。チャンネル符号器１０３０は、入力信号に対してコンボルーションコーディング（Convolutional Coding）等、チャンネル符号化を遂行して変調器１０４０に出力し、その変調された信号は無線部１０５０とアンテナ（ＡＮＴ）を介して無線網に送出される。そして、ここで、変調方式はよく知らされた変調方式の中から選択されることができる。そして、図１０において、参照符号Ｍ１は放送パラメータメッセージ伝送装置を構成することになる。
【００５５】
以下、前記した本発明の方法が適用される受信装置、即ち、端末の受信段の構成を説明する。
図８は、本発明の一実施形態に係る移動通信システムにおいて、リード−ソロモン符号を使用する放送データ受信装置の構成を示すブロック構成図である。
【００５６】
図８の受信装置は、使用者の放送サービス利用要求がある場合、図示していない基地局からアンテナ（ＡＮＴ）と、フィルター（filter）と前処理器（front end unit）などを含む無線部８１０を通じて前記の[表５]のような放送パラメータメッセージを受信し、前記放送パラメータメッセージは選択部８２０を通じて復調器８２０に伝えられる。この際、前記放送パラメータは放送データとは異なる制御チャンネルを介して伝送され、制御部８３０は前記放送パラメータの伝送の可否を認識することになる。受信された放送パラメータメッセージは、メッセージ処理器８５０に伝えられ読取られて、制御部８３０に伝えられる。そして、制御部８３０は、読取られた放送パラメータメッセージに基づいて放送サービスの種類を確認し、該当サービスのフレームが受信されるサブバッファーを指定し、他の放送フレームは受信されないように、前述した時分割多重サブブロックマスクの配列をマッピングすることになる。
【００５７】
以後、基地局を通じて受信された放送データのフレームがアンテナ（ＡＮＴ）と無線部８１０を介して選択部８２０に印加されれば、制御部８３０は前記の[数１]を用いて受信フレームが属したサブブロックインデックスを算出して、算出されたサブブロックインデックスを選択部８２０に伝達し、選択部８２０はそのサブブロックインデックスと前記マッピングされたサブブロックマスクを用いて、使用者が選択した放送サービスのフレームのみを通過させ、残りの他のフレームは受信しないことになる。
【００５８】
一方、前記選択部８２０を通過した放送フレームは、復調器８４０に伝えられて復調され、復調されたデータはチャンネル復号器８６０に伝えられる。前記チャンネル復号器８７０はコンボルーションデコーディング（Convolutional decoding）、あるいは、ターボデコーディング（Turbo Decoding）などを遂行してチャンネルデコーディングを遂行して出力し、その出力信号は図示していないＣＲＣ検査器を通じて各フレームデータの誤りの可否を判断し、外部復号器８７０を通じてジ−インターリビングとリード−ソロモン復号が遂行されてエラービットが訂正されて、放送データに出力される。この際、図７に図示されたサブバッファーは、外部復号器８７０内に備えられたり別途の外部メモリを利用する等、多様な形態で構成することができる。
【００５９】
以下、図９のフローチャートを用いて前記した構成に適用される本発明に係る移動通信システムにおいて、リード−ソロモン符号を使用する放送データ受信方法を説明する。
まず、ステップ９０１で、放送サービスを利用しようとする使用者は端末を操作して放送サービス利用を選択し、ステップ９０３で、端末は基地局を通じて送出する放送パラメータメッセージを受信することになる。前記放送パラメータメッセージを受信した端末の制御部８３０はこれを認識し、受信された放送パラメータメッセージが復調器８４０を通じてメッセージ処理器８５０に伝えられるようにする。そして、メッセージ処理器８５０は受信された放送パラメータメッセージを読取り、読取られた情報をまた制御部８３０に伝達し、制御部８３０は読取られた放送パラメータメッセージに基づいて使用者が選択した放送サービスのフレームが該当サブバッファーに格納されるように、前述した時分割多重サブブロックマスクの配列をマッピングする。
【００６０】
以後、ステップ９０５で、制御部８３０は時分割多重方式により伝送される放送フレームのサブブロックインデックスを前記の[数１]により算出し、ステップ９０７で、制御部８３０は前記サブバッファーインデックスと時分割多重サブブロックマスクの配列を比較して受信フレームを決めることになる。以後、ステップ９０９で、制御部８３０は受信フレームが該当サービスのサブバッファーに格納されるように制御する。そして、伝送制御されたフレームは、図８のチャンネル復号器８６０と外部復号器８７０を通じてデコーディング過程を経た後、使用者が視聴することができる放送データとして出力される。したがって、前記した動作によれば、従来のようにリード−ソロモン符号による不要な復号過程が排除できることになる。
【図面の簡単な説明】
【００６１】
【図１】ＣＤＭＡ２０００ １ｘ Ｒｅｖ． Ｄ規格で提案された方式により時分割多重方式により放送サービスが提供される過程を説明するためのタイミング図である。
【図２】ＣＤＭＡ２０００ １ｘ Ｒｅｖ． Ｄ規格で提案された方式による放送サービスデータに外部符号としてリード−ソロモン符号化を遂行する場合を説明するための図である。
【図３】６個の放送サービスデータが時分割多重化及びリード−ソロモン方式により伝送される場合の放送サービスデータ伝送タイミング図である。
【図４】図２のような方法により放送サービスを提供する場合、各サブバッファーに伝送しようとするデータが格納された形態を示す図である。
【図５】サブバッファー別に放送データを格納する例を示す図である。
【図６Ａ】図５の格納方式を用いて時分割多重伝送方式により可能な放送サービスの類型を示す図である。
【図６Ｂ】図５の格納方式を用いて時分割多重伝送方式により可能な放送サービスの類型を示す図である。
【図６Ｃ】図５の格納方式を用いて時分割多重伝送方式により可能な放送サービスの類型を示す図である。
【図６Ｄ】図５の格納方式を用いて時分割多重伝送方式により可能な放送サービスの類型を示す図である。
【図６Ｅ】図５の格納方式を用いて時分割多重伝送方式により可能な放送サービスの類型を示す図である。
【図６Ｆ】図５の格納方式を用いて時分割多重伝送方式により可能な放送サービスの類型を示す図である。
【図７】本発明によりサブバッファーを基準にして時分割多重方式で放送サービスが提供されることを説明するためのタイミング図である。
【図８】本発明に係る移動通信システムにおいて、リード−ソロモン符号を使用する放送データ送信装置の構成を示すブロック構成図である。
【図９】本発明に係る移動通信システムにおいて、リード−ソロモン符号を使用する放送データ受信方法を説明するためのフローチャートである。
【図１０】本発明に係る移動通信システムにおいて、リード−ソロモン符号を使用する放送データ送信装置の構成を示すブロック構成図である。
【符号の説明】
【００６２】
８１０…無線部
８２０…選択部
８３０…制御部
８４０…復調器
８５０…メッセージ処理器
８６０…チャネル復号器
８７０…外部復号部
１０１０…逆多重化器
１０２０…外部符号器
１０３０…チャネル符号器
１０４０…変調器
１０５０…無線部
１０６０…メッセージ生成器
【図１】
2007527184.tif 000016
【図２】
2007527184.tif 000017
【図３】
2007527184.tif 000018
【図４】
2007527184.tif 000019
【図５】
2007527184.tif 000020
【図６Ａ】
2007527184.tif 000021
【図６Ｂ】
2007527184.tif 000022
【図６Ｃ】
2007527184.tif 000023
【図６Ｄ】
2007527184.tif 000024
【図６Ｅ】
2007527184.tif 000025
【図６Ｆ】
2007527184.tif 000026
【図７】
2007527184.tif 000027
【図８】
2007527184.tif 000028
【図９】
2007527184.tif 000029
【図１０】
2007527184.tif 000030
【国際調査報告】
2007527184.tif 000031
2007527184.tif 000032